(57)【要約】    【課題】  案内部の位置調整を自由とし、縁縫いやキルチングステッチ縫い等を行う際に希望する直線縫いができる汎用性、機動性のある効率的なステッチ定規を提供する。    【解決手段】  案内定規を左右方向と前後方向の自由位置に設定出来るように構成し、その案内定規の底面に前後に反り上がる角度を有する案内部を設け、前方の案内部を布面に接触する位置に設定すれば案内定規の高さが変化し布押さえホルダーの高いミシンや工業用ミシン用として適合するよう構成したステッチ定規を特徴とする。【選択図】    図１
2005007194.tif 000002
【特許請求の範囲】
【請求項１】
ミシンの押さえ具取付棒にスナップホルダー等の布押さえホルダーを介して布押さえ具が取り付けられ、前記布押さえホルダーの外側に案内定規を装着する定規ホルダーを同時に取り付け、前記案内定規を介して直線縫いを行うステッチ定規において、前記案内定規を縫う方向に対してその左右方向とその前後方向の自由位置に位置調節出来るスライド機構を備えることを特徴とするステッチ定規。
【請求項２】
前記スライド機構は、前記案内定規に前記前後方向に形成されたスライド用長穴と、当該スライド用長穴を介して前記定規ホルダーと前記案内定規を固定する定規止めネジとを備えることを特徴とする請求項１記載のステッチ定規。
【請求項３】
前記スライド機構は、前記定規ホルダを前記左右方向に貫通するスライド案内棒と、当該スライド案内棒を前記定規ホルダに固定するスライド止めネジとを備えることを特徴とする請求項１又は２記載のステッチ定規。
【発明の詳細な説明】
【技術分野】
【０００１】
本発明は、ミシンのステッチ定規に関し、特に縁縫いやキルチングステッチ縫い等、直線縫いを行うときに使用するステッチ定規に関する。
【背景技術】
【０００２】
従来、家庭用ミシンのアタッチメントとしてステッチ定規があった。
【発明の開示】
【発明が解決しようとする課題】
【０００３】
しかし、そのステッチ定規の案内部の位置調整が不自由なため十分な使用がなされず不経済商品としての謗りを免れなかった。
【０００４】
本発明は、このような従来技術の問題点を解決するためになされたもので、案内部の位置調整を自由とし、縁縫いやキルチングステッチ縫い等を行う際に希望する直線縫いができる汎用性、機動性のある効率的なステッチ定規を提供することを目的とする。
【課題を解決するための手段】
【０００５】
上記目的を達成するために、請求項１記載のステッチ定規は、ミシンの押さえ具取付棒にスナップホルダー等の布押さえホルダーを介して布押さえ具が取り付けられ、前記布押さえホルダーの外側に案内定規を装着する定規ホルダーを同時に取り付け、前記案内定規を介して直線縫いを行うステッチ定規において、前記案内定規を縫う方向に対してその左右方向とその前後方向の自由位置に位置調節出来るスライド機構を備えることを特徴とする。
【０００６】
請求項２記載のステッチ定規は、請求項１記載のステッチ定規において、前記スライド機構は、前記案内定規に前記前後方向に形成されたスライド用長穴と、当該スライド用長穴を介して前記定規ホルダーと前記案内定規を固定する定規止めネジとを備えることを特徴とする。
【０００７】
請求項３記載のステッチ定規は、請求項１又は２記載のステッチ定規において、前記スライド機構は、前記定規ホルダを前記左右方向に貫通するスライド案内棒と、当該スライド案内棒を前記定規ホルダに固定するスライド止めネジとを備えることを特徴とする。
【発明の効果】
【０００８】
請求項１記載のステッチ定規によれば、ミシンの押さえ具取付棒にスナップホルダー等の布押さえホルダーを介して布押さえ具が取り付けられ、前記布押さえホルダーの外側に案内定規を装着する定規ホルダーを同時に取り付け、前記案内定規を介して直線縫いを行うステッチ定規において、その案内定規を縫う方向に対してその左右方向とその前後方向の自由位置に位置調節出来るスライド機構を備えるので、そのステッチ定規の案内部の位置調整を自由とし、縁縫いやキルチングステッチ縫い等を行う際に希望する直線縫いができる経済価値の高いアタッチメント商品を得ることができる。
【発明を実施するための最良の形態】
【０００９】
以下、本発明の実施の形態を図面を用いて詳述する。
【００１０】
ステッチ定規は、案内定規を介してステッチ縫いの案内や布の端部を定規にして縫って行くようになっており、前記案内定規は、布押さえホルダーの外側に取り付けられた定規ホルダーに装着されており、前記布押さえホルダーは、上方がミシンの押さえ具取付棒に下方が布押さえ具にそれぞれ取り付けられるようになっていて、その下方の布押さえ具との取り付け方法が着脱自在か否かでスナップホルダーか非スナップホルダーということになる。
【００１１】
案内定規は、定規ホルダーを介して左右方向及び前後方向の自由位置に設定できるようになっている。
【００１２】
案内定規は、その底面に前後に反り上がる角度を有する案内部を設けていて、後方の案内部を布面に接触する位置に設定すれば布押さえホルダーの低いミシン用に適合し、前方の案内部を布面に接触させた状態で定規ホルダーを固定すれば、案内定規の高さが変化し布押さえホルダーの高いミシンや工業用ミシン用として適合する。
【００１３】
以下、本発明に係るステッチ定規の実施例を図面を参照しながら詳細に説明する。
【００１４】
図１において、Ａはステッチ定規の斜視図であって、該ステッチ定規Ａは、図２に示すように、ミシンの押さえ具Ｂのスナップホルダー１の外側に取り付けられるようになっている。２は取付棒、３は布押さえ具である。
【００１５】
前記ステッチ定規Ａは、図３に示すように、固定定規ホルダー４、スライド案内棒５、可動定規ホルダー６、スライド止めネジ７、スライド基板８、案内定規９、定規固定板１０、定規止めネジ１１等で構成されている。
【００１６】
即ち、固定定規ホルダー４にはスライド案内棒５の一端が固定され、該案内棒５の他端は可動定規ホルダー６を左右に貫通してスライド自在とし自由位置においてスライド止めネジ７で固定されるようになっている。また、案内定規９は平坦なスライド板部１２と垂直な案内板部１３とが連続して一体に形成され、前記スライド板部１２の長手方向にはスライド用長穴１４が開けられ、前記案内板部１３の底面には前後に反り上がる角度が形成され、前方案内部１５と後方案内部１６をなす。そして前記スライド板部１２は前記スライド基板８上に重合され、さらに、その上に定規固定板１０が重合されて定規止めネジ１１で前後方向の位置調整が可能なように固定されるようになっている。１７、１８、１９はネジ穴である。
【００１７】
次に、ステッチ定規Ａの使用方法について説明すると、その使用形態は大別して図４に示す布押さえ丈Ｈの低いいわゆるロウシャンクミシンの系統と、図５に示す布押さえ丈Ｈの高いいわゆるハイシャンクミシンの系統とに分けられる。この分け方は家庭用ミシンと工業用ミシンの使用方法にも対応する。前者の系統では後方案内部１６が、後者の系統では前方案内部１５がそれぞれ布に接触するように設定される。そして、具体的には、前記各系統で案内定規９を左右前後の自由位置に設定して使用することになる。
【００１８】
例えば、ステッチ定規Ａをロウシャンクミシンで縁縫いの定規案内に使用する場合は、図６に示すように、案内定規９を右側に寄せるとともに後方に位置させ且つ後方案内部１６が布２０に案内板部１３の右壁面が布縁２１にそれぞれ接触するよう設定して直線縫いを行う。また、キルチングステッチ縫いに使用する場合は、図７に示すように、案内定規９を左側に移動させるとともに前方に位置させ且つ後方案内部１６がキルチング縫い目２２に接触するよう設定して直線縫いを行う。
【図面の簡単な説明】
【００１９】
【図１】ステッチ定規の装着していない単体状態の斜視図である。
【図２】ステッチ定規を布押さえホルダーの外側に装着した状態の斜視図である。
【図３】ステッチ定規の分解状態を示す斜視図である。
【図４】ステッチ定規をロウシャンクミシンに装着する場合の案内部の接地関係を示す斜視図である。
【図５】ステッチ定規をハイシャンクミシンに装着する場合の案内部の接地関係を示す斜視図である。
【図６】ステッチ定規の縁縫い案内状態を示す斜視図である。
【図７】ステッチ定規のステッチ縫い案内状態を示す斜視図である。
【符号の説明】
【００２０】
Ａ  ステッチ定規
Ｂ  ミシンの押さえ具
１  スナップホルダー
２  取付棒
３  布押さえ具
４  固定定規ホルダー
５  スライド案内棒
６  可動定規ホルダー
７  スライド止めネジ
８  スライド基板
９  案内定規
１０  定規固定板
１１  定規止めネジ
１２  平坦なスライド板部
１３  垂直な案内板部
１４  長穴
１５  前方案内部
１６  後方案内部
１７  ネジ穴
１８  ネジ穴
１９  ネジ穴
２０  布
２１  布縁
２２  キルチング縫い目
【図１】
2005007194.tif 000003
【図２】
2005007194.tif 000004
【図３】
2005007194.tif 000005
【図４】
2005007194.tif 000006
【図５】
2005007194.tif 000007
【図６】
2005007194.tif 000008
【図７】
2005007194.tif 000009